(57)【要約】【課題】  仏壇に置く線香は、紙箱に入った市販の線香の紙箱の蓋を開けて置いていたので、ほこりが付いたり湿気たりした。【解決手段】  湿気難い合成樹脂製等の蓋付きの物入れに他の物入れを分離自在に設け、前記蓋の内側に乾燥剤入れを設け、乾燥剤入れに乾燥剤を設けたので、ほこりや湿気を防ぐ事ができる。【選択図】図１
2017018560.tif 000002
【特許請求の範囲】
【請求項１】
引出し式又は容器本体と容器蓋とからなる物入れの内部に乾燥剤入れを設けた線香入れ容器。
【請求項２】
前記物入れに他の物入れを設けた請求項１記載の線香入れ容器。
【請求項３】
前記他の物入れが引出し式である請求項２記載の線香入れ容器。
【請求項４】
前記他の物入れが箱形である請求項２記載の線香入れ容器。
【請求項５】
前記物入れと前記他の物入れが分離自在である請求項２、３、４の何れか一項に記載の線香入れ容器。
【請求項６】
前記物入れ及び前記他の物入れの少なくとも一方の内部に設置場所が変更可能な仕切り板を設けた請求項１から５の何れか一項に記載の線香入れ容器。
【請求項７】
前記乾燥剤入れに乾燥剤を備えた請求項１から６の何れか一項に記載の線香入れ容器。
【請求項８】
前記物入れ及び前記他の物入れの少なくとも一方が湿気難い素材である請求項１から７の何れか一項に記載の線香入れ容器。
【発明の詳細な説明】
【技術分野】
【０００１】  本発明は、線香を入れる線香入れ容器に関する。
【背景技術】
【０００２】  従来、仏壇に置く線香は、紙箱に入った市販の線香の紙箱の蓋を開けて置いていた。
又、墓参りの時は、墓参りに必要な線香やライターやマッチや蝋燭等を、ばらばらな状態から揃えて持参していた。
又、予備の線香や蝋燭等を備えていない事が多かった。
【発明の概要】
【発明が解決しようとする課題】
【０００３】  これには次のような欠点があった。
紙箱に入った市販の線香の紙箱の蓋を開けたままなので、ほこりが付いたり湿気たりしていた。
又、紙箱の場合、蓋を閉じても湿気易かった。【０００４】  又、墓参りの時に、墓参りに必要な線香やライターやマッチや蝋燭等をばらばらな状態から揃えるのは面倒な上、そのうちのどれかを忘れる事があった。【０００５】  又、線香や蝋燭を使い切った時に予備の線香や蝋燭が無くて困る事があった。
又、線香がむきだしなので見映えが悪かった。
本発明は、以上のような欠点をなくすために考えたものである。
【課題を解決するための手段】
【０００６】  線香やライターやマッチや蝋燭等を入れるための、引出し式又は容器本体と容器蓋とからなる物入れの内部に乾燥剤入れを設けた線香入れ容器である。【０００７】  又、前記物入れに他の物入れを設けた線香入れ容器である。【０００８】  又、前記他の物入れが引出し式である線香入れ容器である。【０００９】  又、前記他の物入れが箱形である線香入れ容器である。【００１０】  又、前記物入れと前記他の物入れが分離自在である線香入れ容器である。【００１１】  又、前記物入れ及び前記他の物入れの少なくとも一方の内部に設置場所が変更可能な仕切り板を設けた線香入れ容器である。【００１２】  又、前記乾燥剤入れに乾燥剤を備えた線香入れ容器である。【００１３】  又、前記物入れ及び前記他の物入れの少なくとも一方が湿気難い素材である線香入れ容器である。
【発明の効果】
【００１４】  物入れが引出し式又は蓋付き容器なのでほこりも付かず、乾燥剤入れに乾燥剤を入れて使用すれば湿気も防げて便利である。【００１５】  又、前記物入れ及び前記他の物入れの少なくとも一方の内部に設置場所が変更可能な仕切り板が設けられているので、紙箱に入った市販の線香の紙箱の大きさに合わせて仕切り板の設置場所を変更する事ができ便利である。【００１６】  又、墓参りの時は、墓参りに必要な線香やライターやマッチや蝋燭等がひとまとめに入った物入れを持参すれば面倒がなく、どれかを忘れる心配もない。【００１７】  又、他の物入れには予備の線香や蝋燭等を入れておけるので、線香や蝋燭を使い切っても慌てる事がなく安心である。【００１８】  又、物入れが引出し式や蓋付き容器なので線香がむきだしになっているよりも見た目に美しい。【００１９】  又、前記物入れ及び前記他の物入れの少なくとも一方が湿気難い素材のものは、より湿気難い。
【図面の簡単な説明】
【００２０】
【図１】  本発明の実施例１の斜視図
【図２】  実施例１の分解斜視図
【図３】  実施例１の物入れの使用状態を蓋を開けて示した平面図
【図４】  本発明の実施例２の斜視図
【図５】  実施例２の分解斜視図
【図６】  実施例２の物入れと他の物入れの使用状態を示した平面図
【図７】  本発明の実施例３の斜視図
【図８】  実施例３の分解斜視図
【図９】  実施例３の物入れの使用状態を蓋を開けて示した平面図
【００２１】
【図１０】  本発明の実施例４の斜視図
【図１１】  実施例４の分解斜視図
【図１２】  実施例４の物入れと他の物入れの使用状態を示した平面図
【図１３】  本発明の実施例５の斜視図
【図１４】  実施例５の物入れの使用状態を蓋を開けて示した平面図
【図１５】  本発明の実施例６の斜視図
【図１６】  実施例６の物入れの使用状態を蓋を開けて示した平面図
【図１７】  本発明の実施例７の斜視図
【図１８】  実施例７の物入れの使用状態を蓋を開けて示した平面図
【発明を実施するための形態】
【００２２】  以下、本発明の実施の形態を説明する。
【実施例１】
【００２３】  実施例１の形態を図１から図３に基づいて説明する。
図においては、線香入れ容器１は湿気難いプラスチック製で、物入れ２と他の引出し式物入れ３からなり、物入れ２の下部は他の引出し式物入れ３の上部の他の物入れ凹部１２に分離自在にはめ込まれている。【００２４】  又、物入れ２は物入れ容器本体４と物入れ容器蓋５からなり、物入れ容器本体４と物入れ容器蓋５の片側は蝶番６により繋がっており、蝶番６の反対側の物入れ容器本体４と物入れ容器蓋５は雌蓋止め８と雄蓋止め７により開閉自在に閉じられている。【００２５】  又、物入れ容器蓋５の内側には乾燥剤入れ９が設けられており、乾燥剤１３が備えられており、物入れ容器本体４の内部には複数組の凹部１１が設けられており、仕切り板１０が凹部１１の箇所で設置場所が変更可能に取り付けられている。【００２６】  又、他の引出し式物入れ３の引出し内部には実施例２の他の箱形物入れ３０ａの内部と同様の複数組の凹部１１（図示せず）が設けられており、仕切り板１０（図示せず）が凹部１１の箇所で設置場所が変更可能に取り付けられている。【００２７】  本実施例を使用する時は、物入れ容器本体２に、紙箱に入った市販の線香１４の紙箱の蓋を開けて入れ、紙箱に入った市販の線香１４の紙箱の大きさに合わせて仕切り板１０を凹部１１に設置し、空いた部分にライター１５やマッチ１６や蝋燭１７等を入れ、物入れ容器蓋５を閉じ、雄蓋止め７と雌蓋止め８を合わせて止める。【００２８】  そして、他の引出し式物入れ３に、実施例２で示したように、紙箱に入った予備の線香２４や予備のライター２５や予備のマッチ２６や予備の蝋燭２７を入れる。【００２９】  そして、墓参りの時は、他の引出し式物入れ３から物入れ２を分離して持参する。
【実施例２】
【００３０】  実施例２を図４から図６に基づいて説明する。
図においては線香入れ容器１ａは物入れ２ａと他の箱形物入れ３０ａからなり、物入れ２ａの下部に他の箱形物入れ３０ａが接続手段１８ａにより分離自在に設けられている。【００３１】  又、物入れ２ａは物入れ容器本体４ａと物入れ容器蓋５ａとからなり、物入れ容器本体４ａと物入れ容器蓋５ａは両側が蝶番６ａにより繋がれており、物入れ容器蓋５ａは中央部で開閉できるようになっており、蓋止め７１ａにより開閉自在に閉じられている。【００３２】  又、物入れ容器本体４ａの内部には、複数組の凹部１１ａが設けられており、仕切り板１０ａが凹部１１ａの箇所で設置場所が変更可能に取り付けられており、物入れ容器蓋５ａの内側には乾燥剤入れ９ａが設けられ乾燥剤１３ａが備えられている。【００３３】  又、他の箱形物入れ３０ａの内部には、複数組の凹部１１ａが設けられており、仕切り板１０ａが凹部１１ａの箇所で設置場所が変更可能に取り付けられている。【００３４】  本実施例を使用する時は、物入れ容器本体４ａに紙箱に入った市販の線香１４の紙箱の蓋を開けて入れ、紙箱の大きさに合わせて仕切り板１０ａを凹部１１ａに設置する。
そして、空いた部分にライター１５やマッチ１６や蝋燭１７を入れる。【００３５】  又、他の箱形物入れ３０ａには、紙箱に入った予備の線香２４を入れ、紙箱の大きさに合わせて仕切り板１０ａを凹部１１ａに設置し、空いた部分に予備のライター２５や予備のマッチ２６や予備の蝋燭２７を入れる。
【実施例３】
【００３６】  実施例３を図７から図９に基づいて説明する。
図においては線香入れ容器１ｂは物入れ２ｂと他の引出し式物入れ３ｂからなり、実施例１の物入れ２と同様の物入れ２ｂの側部に他の引出し式物入れ３ｂが設けられている。
物入れ２ｂの下部は他の引出し式物入れ３ｂの下部側部に張り出した他の物入れ凹部１２ｂに分離自在にはめ込まれている。【００３７】  又、他の引出し式物入れ３ｂの引出し内部は実施例２の他の箱形物入れ３０ａの内部と同様である。【００３８】  本実施例を使用する時は、物入れ容器本体４ｂの内部を実施例２の物入れ容器本体４ａと同様に使用する。【００３９】  そして、他の引出し式物入れ３ｂの引出し内部を実施例２の他の箱形物入れ３０ａの内部と同様に使用する。
【実施例４】
【００４０】  実施例４を図１０から図１２に基づいて説明する。図においては、線香入れ容器１ｃは物入れ２ｃと他の箱形物入れ３０ｃからなり、実施例２の物入れ２ａと同様の物入れ２ｃの側部に、他の箱形物入れ容器本体３１ｃと他の箱形物入れ容器蓋３２ｃからなる他の箱形物入れ３０ｃが設けられており、接続手段１８ｃにより分離自在に接続されている。【００４１】  又、他の箱形物入れ容器本体３１ｃと他の箱形物入れ容器蓋３２ｃの片側は蝶番６１ｃにより繋がっている。
又、他の箱形物入れ容器本体３１ｃの内部は実施例２の他の箱形物入れ３０ａの内部と同様である。【００４２】  本実施例を使用する時は、物入れ容器本体４ｃの内部を実施例２の物入れ容器本体４ａの内部と同様に使用する。【００４３】  そして、他の箱形物入れ容器本体３１ｃの内部を実施例２の他の箱形物入れ容器３０ａの内部と同様に使用する。
【実施例５】
【００４４】  実施例５を図１３から図１４に基づいて説明する。
図においては、線香入れ容器１ｄは物入れ２ｄと他の引出し式物入れ３ｄからなり、実施例２の物入れ２ａと同様の物入れ２ｄの下部に、他の引出し式物入れ３ｄが一体に設けられている。【００４５】  他の引出し式物入れ３ｄの引出し内部は、実施例２の他の箱形物入れ３０ａの内部と同様である。【００４６】  本実施例を使用する時は、物入れ容器本体４ｄの内部を実施例２の物入れ容器本体４ａの内部と同様に使用する。
又、他の引出し式物入れ３ｄの引出し内部を実施例２の他の箱形物入れ３０ａと同様に使用する。
【実施例６】
【００４７】  実施例６を図１５から図１６に基づいて説明する。
図においては、線香入れ容器１ｅは物入れ２ｅと他の箱形物入れ３０ｅからなり、実施例１の物入れ２と同様の物入れ２ｅの側部に、他の箱形物入れ容器本体３１ｅと他の箱形物入れ容器蓋３２ｅからなる他の箱形物入れ３０ｅが一体に設けられている。【００４８】  又、物入れ容器蓋５ｅと他の箱形物入れ容器蓋３２ｅは蝶番６ｅにより繋がっており、蝶番６ｅの反対側の物入れ容器本体４ｅと物入れ容器蓋５ｅには雌蓋止め８ｅと雄蓋止め７ｅが設けられており、蝶番６ｅの反対側の他の箱形物入れ容器本体３１ｅと他の箱形物入れ容器蓋３２ｅには雌の蓋止め（図示せず）と雄の蓋止め７ｅが設けられている。【００４９】  又、他の箱形物入れ容器蓋３２ｅの内側にも乾燥剤入れ９ｅが設けられており、乾燥剤（図示せず）が備えられている。【００５０】  本実施例を使用する時は、物入れ容器本体４ｅの内部を実施例２の物入れ容器本体４ａの内部と同様に使用する。【００５１】  そして、他の箱形物入れ容器本体３１ｅの内部を実施例２の他の箱形物入れ３０ａの内部と同様に使用する。
【実施例７】
【００５２】  実施例７を図１７から図１８に基づいて説明する。
図においては、線香入れ容器１ｆは実施例１と同様の物入れ２ｆのみである。【００５３】  本実施例を使用する時は、物入れ容器本体４ｆの内部を実施例２の物入れ容器本体４ａの内部と同様に使用する。【００５４】  以上実施の形態を説明したが、線香入れ容器の素材はプラスチック等の湿気難い物が、より好ましく、湿気難い陶磁製等でもよい。
又、物入れと他の物入れは同素材でも異素材でもよい。【００５５】  又、仕切り板を複数設けてもよく、物入れ又は他の物入れに数珠や豆経等を入れてもよい。
又、蝶番や、物入れと他の物入れを繋ぐ接続手段や、蓋止めも他の方法でもよい。
【符号の説明】
【００５６】１、１ａ、１ｂ、１ｃ、１ｄ、１ｅ、１ｆ                  線香入れ容器
２、２ａ、２ｂ、２ｃ、２ｄ、２ｅ、２ｆ                  物入れ
３、３ｂ、３ｄ                                          他の引出し式物入れ
４、４ａ、４ｂ、４ｃ、４ｄ、４ｅ、４ｆ                  物入れ容器本体
５、５ａ、５ｂ、５ｃ、５ｄ、５ｅ、５ｆ                  物入れ容器蓋
６、６ａ、６ｂ、６ｃ、６ｄ、６ｅ、６ｆ                  蝶番
７、７ｂ、７ｅ、７ｆ                                    雄蓋止め
８、８ｂ、８ｅ、８ｆ                                    雌蓋止め
９、９ａ、９ｂ、９ｃ、９ｄ、９ｅ、９ｆ                  乾燥剤入れ
１０、１０ａ、１０ｂ、１０ｃ、１０ｄ、１０ｅ、１０ｆ    仕切り板【００５７】１１、１１ａ、１１ｂ、１１ｃ、１１ｄ、１１ｅ、１１ｆ    凹部
１２、１２ｂ                                            他の物入れ凹部
１３、１３ａ、１３ｂ、１３ｃ、１３ｄ、１３ｅ、１３ｆ    乾燥剤
１４                                                    紙箱に入った市販の線香
１５                                                    ライター
１６                                                    マッチ
１７                                                    蝋燭
１８ａ、１８ｃ                                          接続手段
１９ａ、１９ｃ                                          雄接続手段
２０ａ、２０ｃ                                          雌接続手段【００５８】２４                                                    紙箱に入った予備の線香
２５                                                    予備のライター
２６                                                    予備のマッチ
２７                                                    予備の蝋燭
３０ａ、３０ｃ、３０ｅ                                  他の箱形物入れ
３１ｃ、３１ｅ                                          他の箱形物入れ容器本体
３２ｃ、３２ｅ                                          他の箱形物入れ容器蓋
６１ｃ                                                  蝶番
７１ａ、７１ｃ、７１ｄ                                  蓋止め
【図１】
2017018560.tif 000003
【図２】
2017018560.tif 000004
【図３】
2017018560.tif 000005
【図４】
2017018560.tif 000006
【図５】
2017018560.tif 000007
【図６】
2017018560.tif 000008
【図７】
2017018560.tif 000009
【図８】
2017018560.tif 000010
【図９】
2017018560.tif 000011
【図１０】
2017018560.tif 000012
【図１１】
2017018560.tif 000013
【図１２】
2017018560.tif 000014
【図１３】
2017018560.tif 000015
【図１４】
2017018560.tif 000016
【図１５】
2017018560.tif 000017
【図１６】
2017018560.tif 000018
【図１７】
2017018560.tif 000019
【図１８】
2017018560.tif 000020